(57)【特許請求の範囲】
【請求項１】
（１）年齢の異なるパネラーの角質細胞を各季節毎に採取し、これら採取した角質細胞の面積を測定し、これら角質細胞の面積の結果を回帰分析することにより、年齢を説明変数とする標準角質細胞面積を求める回帰式を各季節毎に予め用意し、
（２）敏感肌か否かを鑑別する被験者に対し、その被験者の角質細胞を採取し、その角質細胞の面積を測定し、
（３）上記（２）で被験者から角質細胞を採取した季節及び被験者の年齢を考慮することにより、上記（１）で得られた回帰式を用いて、被験者の年齢に対応した標準角質細胞面積を得て、
（４）上記（３）で得られた標準角質細胞面積と上記（２）で得られた被験者の角質細胞面積とを比較し、上記（２）で得られた被験者の角質細胞面積が上記（３）で得られた標準角質細胞面積より５０〜２００μｍ2小さい場合に、敏感肌であると鑑別することを特徴とする、非医療目的の敏感肌の鑑別法。
【請求項２】
前記標準角質細胞面積を求める各季節毎の回帰式が以下で表されることを特徴とする、請求項１に記載の敏感肌の鑑別法。
（春）Ｙ＝６６１．６５＋４．４６Ｘ
（夏）Ｙ＝６７８．６７＋３．７８Ｘ
（秋）Ｙ＝６７０．３７＋４．７７Ｘ
（冬）Ｙ＝６３３．９１＋５．３６Ｘ
（但し、角質細胞面積をＹμｍ2、年齢をＸ歳とする。）
【発明の詳細な説明】
【０００１】
【発明の属する技術分野】
本発明は、化粧料の選択や肌トラブルの予防の判断に好適な、敏感肌の鑑別法に関する。
【０００２】
【従来の技術】
皮膚は生体を外部の化学物質や有害な紫外線などから守る重要な防護組織であると同時に、外界へ突出した生体器官でもある。従って、肌の状態の良し悪しは、生体防御機能の良し悪しであると同時に、その肌の見た目の良し悪しでもある。この様な皮膚機能に於いて、最近問題となっているのが敏感肌の人の急増である。これは、現代社会の環境が、生体に悪影響を及ぼす化合物の増加により、かかる化合物に対して過敏な反応する人を増大させているためである。例えば、自己申告と問診による敏感肌、やや敏感肌、敏感肌ではない３分類の内訳は、１９９３年には、それぞれ１０．１％、２５．６％、６４．３％であったのが、１９９６年には、７．９％、４１．２％、５０．９％となっている。わずか３年間の間に１４％も敏感肌の人が増えている計算となっている。この様な敏感肌の人は、その肌の手入れが難しく、この手入れの方法を誤ると重篤な肌トラブルを引き起こしかねない。この為、敏感肌であることを的確に分析・診断し、鑑別することが望まれていた。
【０００３】
この様な敏感肌の鑑別法としては、従来は、問診などにより、以前の肌トラブル歴を聞き、それより判断するしか方法がなかった。従って、今まで化粧料を使用しなかった人が、化粧料を使用するにあたっては、この様な敏感肌であるかどうかの予知は出来ず、おそるおそる化粧料を使用するしかなかった。
【０００４】
一方、角質細胞の大きさと肌状態の関係に関しては、何らかの関係がありそうであることは既に指摘されていたことであるが、この角質細胞の大きさが敏感肌などの肌質（敏感肌・やや敏感肌・非敏感肌）と関係あることは全く知られていなかった。
【０００５】
更に、角質細胞の大きさについて、このものが年齢と季節の関数であることは全く知られておらず、採取した角質細胞の大きさと、その被験者の年齢と季節とから、敏感肌か否かの鑑別がしうることは全く知られていなかったし、この様な技術が存在するであろう推測も為され得なかった。
【０００６】
【発明が解決しようとする課題】
本発明は、この様な状況下為されたものであり、敏感肌の予知を含めた鑑別手段を提供することを課題とする。
【０００７】
【課題の解決手段】
本発明者らは、この様な状況に鑑みて、更に詳細な敏感肌の鑑別手段を求め、鋭意研究を重ねた結果、角質細胞の大きさと年齢とを指標として、更に詳しくは、角質細胞の大きさを年齢毎の角質細胞の標準の大きさと比較した比角質細胞面積を指標として用いることにより、この様な鑑別が可能であることを見出し、発明を完成させるに至った。以下、本発明について、実施の形態を中心に詳細に説明を加える。
【０００８】
【発明の実施の形態】
（１）本発明の指標となる年齢と角質細胞面積の関係
本発明者らは、正常角質細胞と年齢の関係を詳細に調査した結果、この２変数の間には良好な直線関係があることを見出した。即ち、これにより正常角質細胞の標準的な面積は年齢の関数として表現することが出来る。又、この標準的な角質細胞面積は、季節を因子として含んでおり、季節を因子として組み入れることにより、より正確な標準角質細胞面積を算出することが出来る。これは、本発明者らが、任意に選び出した１７８名のパネラーの頬部より、ストリッピング法により角質細胞を採取し、この形状と剥離の仕方を観察し、正常と思われる標本のみを更に選び、この正常標本の中から１０個の角質細胞を選択し、この面積を測定し１０個の平均を取り、角質細胞の平均面積を算出したデータによって裏付けられる。この作業は春、夏、秋、冬の４期にわたって行われた。この平均角質細胞面積と年齢のプロットを行ったこの結果を図１に示す。この図より、１）平均角質細胞面積と年齢の間には良好な直線回帰が認められる。２）この回帰式は季節により異なる。の２点が明らかに読みとれる。即ち、角質細胞の大きさに対して、年齢と季節が一次変数となっていることがわかる。その一次回帰式は次の如くに表される。
（春）Ｙ＝６６１．６５＋４．４６Ｘ
（夏）Ｙ＝６７８．６７＋３．７８Ｘ
（秋）Ｙ＝６７０．３７＋４．７７Ｘ
（冬）Ｙ＝６３３．９１＋５．３６Ｘ
（但し、Ｙは角質細胞面積（単位μｍ2）を表し、Ｘは年齢（歳）を表す。）
即ち、この式により標準的な角質細胞の面積が算出される。
【０００９】
（２）本発明の敏感肌の鑑別法
本発明の敏感肌の鑑別法は、上記の通り算出された標準角質細胞面積を基準に、測定した被験者の角質細胞の面積と比較し、標準角質細胞面積と同程度の大きさであれば、その角質細胞を採取した被験者は普通肌であり、通常の化粧料を使用しても肌トラブルを起こす可能性は極めて少ない。これに反して、敏感肌の人は、標準角質細胞面積よりも有意に角質細胞の面積が小さい。具体的には、標準角質細胞面積よりも、５０〜２００μｍ2程度小さく、逆に、標準角質細胞面積よりも５０〜２００μｍ2程度小さい、角質細胞を有している被験者は、敏感肌であると鑑別できる。又、上記の如く、標準角質細胞面積は、年齢と季節の関数であるため、年齢と季節と角質細胞の面積から肌質（敏感肌・やや敏感肌・非敏感肌）が鑑別できる。即ち、この様に、年齢を知り、角質細胞面積を測定することにより、敏感肌の鑑別が出来る。これを利用することにより、下記実施例に示すように化粧料を設計することに応用することが出来る。即ち、本発明の鑑別法により集めた敏感肌のパネラーを使用し、このパネラーに好適な化粧料原料を選択することにより、敏感肌の人に適した化粧料を設計できる。
【００１０】
【実施例】
以下に実施例を挙げて、更に詳細に本発明について説明を加えるが、本発明がこれら実施例にのみ限定を受けないことは言うまでもない。
【００１１】
＜実施例１＞
２０歳〜６０歳までの、過去の化粧品の使用経歴が明確なパネラーから任意に選んだ１１５人から角質細胞を粘着剤つきのディスクを用い、角質細胞を採取し、これを粘着テープに転写し、ブリリアントグリーンで染色した後、顕微鏡下角質細胞面積を測定した。これらのパネラーを過去の経歴より、トラブルを３回以上経験したパネラーを敏感肌とし、肌トラブルの経験が２回以下のパネラーを非敏感肌と分類した。この２群に分けた場合の平均角質細胞面積を表１に示す。表１には、併せて上記の如く算出した標準角質細胞面積も記した。この表より、敏感肌の人は明らかに、標準角質細胞面積より３０〜１５０μｍ2、面積が小さいことがわかる。又、敏感肌でない人の角質細胞面積が標準角質細胞面積よりも３０〜１００μｍ2大きいことから、人口に於ける敏感肌の人の占める割合が多いことがこのデータからも裏付けられる。従って、本発明の鑑別法が社会的に大きな意義を有することが明確である。
【００１２】
【表１】
0003980774.tif 000002
【００１３】
＜実施例２＞
化粧料の新製品のパッチテストにおいて、パッチテスト直前に角質細胞を上記ディスク法で採取し、このデータより、敏感肌群と非敏感肌群に分けた。パッチテストの結果をこの２群に分けて集計した結果、下記の表２の如くになった。この表より、本発明の鑑別法で敏感肌と診断された人は、パッチテストに於いて陽性率が高いことがわかる。このことより、本発明の鑑別法により、肌トラブルが予知しうることが明白である。更に、この様な敏感肌の人のみを客観的に集めうることから、この様な人たちを対象にパッチテストや使用テストを行い、良好な化粧品を作成すれば、敏感肌の人に有用な化粧料となることもわかる。
【００１４】
【表２】
0003980774.tif 000003
【００１５】
【発明の効果】
本発明によれば、敏感肌の予知を含めた鑑別手段を提供することができる。
【図面の簡単な説明】
【図１】  季節毎の年齢と角質細胞との関係を示す図である。
【図１】
0003980774.tif 000004